(57)【要約】【課題】複数の番組を効率良く視聴できるようにする。【解決手段】音楽関連の番組Ａは、会話Ａ、曲Ａ、会話Ｂ、曲Ｂ、会話Ｃの順で構成されている。同様に番組Ｂは、会話Ｄ、曲Ｃ、会話Ｅ、曲Ｄ、会話Ｆ、曲Ｅの順で構成され、番組Ｃは、会話Ｇ、曲Ｆ、曲Ｇ、曲Ｈ、会話Ｈの順で構成されている。曲モードのときには、曲Ａ、曲Ｂ、曲Ｃ、曲Ｄ、曲Ｅ、曲Ｆ、曲Ｇ、曲Ｈの順で、それぞれ番組Ａ乃至Ｃから順次抽出されて再生される。本発明は、テレビジョン放送の番組を記録、再生する記録再生装置に適用できる。【選択図】図４
2009130559.tif 000002
【特許請求の範囲】
【請求項１】
コンテンツの区切りを検出するための特徴量を抽出する抽出手段と、
前記抽出手段により抽出された前記特徴量を用いて、前記コンテンツの区切りを判定する区切り判定手段と、
前記区切り判定手段による判定に基づき区切られる所定の区切りから次の区切りまでの区間に対して、その区間の属性を判定する属性判定手段と、
前記属性判定手段により同一の属性に判定された区間を、連続的に再生する再生手段と
を備え、
前記区切り判定手段は、第１の区間と、その第１の区間に含まれる第２の区間をそれぞれ判定し、
前記再生手段は、前記第１の区間を連続的に再生する第１のモードと、前記第２の区間を連続的に再生する第２のモードを有し、外部からの指示があったときに、前記第１のモードと前記第２のモードを切り換える
記録再生装置。
【請求項２】
前記第１のモードから前記第２のモードへの切り換えが指示された場合、その時点で再生されている前記第１の区間に含まれる前記第２の区間に再生を切り換え、前記第２のモードから前記第１のモードへの切り換えが指示された場合、その時点で再生されている前記第２の区間を含む前記第１の区間の最初からの再生に切り換える
請求項１に記載の記録再生装置。
【請求項３】
前記第１の区間は、曲の区間であり、前記第２の区間は、前記曲のサビの区間である
請求項１に記載の記録再生装置。
【請求項４】
前記属性判定手段は、前記第１の区間を識別する識別子と前記第１の区間の開始時刻と終了時刻を関連付けた第１のテーブルと、前記第２の区間と前記第１の区間を関連付ける識別子と前記第２の区間の開始時刻と終了時刻を関連付けた第２のテーブルを作成し、
前記再生手段は、前記第１のテーブルまたは前記第２のテーブルを参照して再生を行う
請求項１に記載の記録再生装置。
【請求項５】
コンテンツの区切りを検出するための特徴量を抽出し、
前記特徴量を用いて、前記コンテンツの区切りを判定し、
前記判定に基づき区切られる所定の区切りから次の区切りまでの区間に対して、その区間の属性を判定し、
同一の属性に判定された区間の連続的な再生を制御する
ステップを含み、
前記区切りの判定は、第１の区間と、その第１の区間に含まれる第２の区間をそれぞれ判定し、
前記再生は、前記第１の区間を連続的に再生する第１のモードと、前記第２の区間を連続的に再生する第２のモードを有し、外部からの指示があったときに、前記第１のモードと前記第２のモードを切り換える
記録再生方法。
【請求項６】
コンテンツの区切りを検出するための特徴量を抽出し、
前記特徴量を用いて、前記コンテンツの区切りを判定し、
前記判定に基づき区切られる所定の区切りから次の区切りまでの区間に対して、その区間の属性を判定し、
同一の属性に判定された区間の連続的な再生を制御する
ステップを含む処理をコンピュータに実行させ、
前記区切りの判定は、第１の区間と、その第１の区間に含まれる第２の区間をそれぞれ判定し、
前記再生は、前記第１の区間を連続的に再生する第１のモードと、前記第２の区間を連続的に再生する第２のモードを有し、外部からの指示があったときに、前記第１のモードと前記第２のモードを切り換える
プログラム。
【請求項７】
コンテンツの区切りを検出するための特徴量を抽出し、
前記特徴量を用いて、前記コンテンツの区切りを判定し、
前記判定に基づき区切られる所定の区切りから次の区切りまでの区間に対して、その区間の属性を判定し、
同一の属性に判定された区間の連続的な再生を制御する
ステップを含む処理をコンピュータに実行させ、
前記区切りの判定は、第１の区間と、その第１の区間に含まれる第２の区間をそれぞれ判定し、
前記再生は、前記第１の区間を連続的に再生する第１のモードと、前記第２の区間を連続的に再生する第２のモードを有し、外部からの指示があったときに、前記第１のモードと前記第２のモードを切り換える
プログラムを記録している記録媒体。
【発明の詳細な説明】
【技術分野】
【０００１】
本発明は情報処理装置および方法、プログラム、並びに記録媒体に関し、特に、既に記録されている複数のコンテンツデータの所定の区間を抽出し、連続して再生することができるようにした情報処理装置および方法、プログラム、並びに記録媒体に関する。
【背景技術】
【０００２】
近年、大容量の記憶領域を有するレコーダが普及しつつある。記憶容量が大きくなることで、例えば、テレビジョン放送の番組を長時間録画できるようになる。しかしながら、長時間録画されても、ユーザが、長時間視聴できるとは限らず、結果として、レコーダに録画されたまま、再生されない番組が存在するといったことがある。また、このような未視聴の番組は、結局ユーザに視聴されることなく、レコーダから削除されてしまうこともある。
【０００３】
このようなことを背景とし、ユーザに録画されている番組を効率良く視聴させたり、録画されている番組の視聴を促したりするための仕組みが提案されている。（例えば、特許文献１，２参照）
【特許文献１】特開２００３−３２６６２号公報
【特許文献２】特開２００１−１４２４８０号公報
【発明の開示】
【発明が解決しようとする課題】
【０００４】
録画されている番組数が増大すると、上記したように、録画されたまま、再生されない番組が存在し、未視聴のまま削除されてしまうことがある。また、視聴したい番組を多くの番組のなかから検索するのは時間がかかるために、効率良く視聴したい番組を検索できる仕組みが望まれている。
【０００５】
また、１つの番組を全て見るのではなく、その番組の所定の区間のみを視聴したいという要望もある。所定の区間を視聴するために、番組の最初から視聴し、早送りをして検索するということが行われるが、より簡単に所望の区間を検索できることが望まれている。
【０００６】
本発明は、このような状況に鑑みてなされたものであり、視聴したい番組や番組内の所定の区間などの所定の情報を、より簡単に検索し、閲覧できるようにすることができるようにするものである。
【課題を解決するための手段】
【０００７】
本発明の一側面の記録再生装置は、コンテンツの区切りを検出するための特徴量を抽出する抽出手段と、前記抽出手段により抽出された前記特徴量を用いて、前記コンテンツの区切りを判定する区切り判定手段と、前記区切り判定手段による判定に基づき区切られる所定の区切りから次の区切りまでの区間に対して、その区間の属性を判定する属性判定手段と、前記属性判定手段により同一の属性に判定された区間を、連続的に再生する再生手段とを備え、前記区切り判定手段は、第１の区間と、その第１の区間に含まれる第２の区間をそれぞれ判定し、前記再生手段は、前記第１の区間を連続的に再生する第１のモードと、前記第２の区間を連続的に再生する第２のモードを有し、外部からの指示があったときに、前記第１のモードと前記第２のモードを切り換える。
【０００８】
前記第１のモードから前記第２のモードへの切り換えが指示された場合、その時点で再生されている前記第１の区間に含まれる前記第２の区間に再生を切り換え、前記第２のモードから前記第１のモードへの切り換えが指示された場合、その時点で再生されている前記第２の区間を含む前記第１の区間の最初からの再生に切り換えるようにすることができる。
【０００９】
前記第１の区間は、曲の区間であり、前記第２の区間は、前記曲のサビの区間であるようにすることができる。
【００１０】
前記属性判定手段は、前記第１の区間を識別する識別子と前記第１の区間の開始時刻と終了時刻を関連付けた第１のテーブルと、前記第２の区間と前記第１の区間を関連付ける識別子と前記第２の区間の開始時刻と終了時刻を関連付けた第２のテーブルを作成し、前記再生手段は、前記第１のテーブルまたは前記第２のテーブルを参照して再生を行うようにすることができる。
【００１１】
本発明の一側面の記録再生方法は、コンテンツの区切りを検出するための特徴量を抽出し、前記特徴量を用いて、前記コンテンツの区切りを判定し、前記判定に基づき区切られる所定の区切りから次の区切りまでの区間に対して、その区間の属性を判定し、同一の属性に判定された区間の連続的な再生を制御するステップを含み、前記区切りの判定は、第１の区間と、その第１の区間に含まれる第２の区間をそれぞれ判定し、前記再生は、前記第１の区間を連続的に再生する第１のモードと、前記第２の区間を連続的に再生する第２のモードを有し、外部からの指示があったときに、前記第１のモードと前記第２のモードを切り換える。
【００１２】
本発明の一側面のプログラムは、コンテンツの区切りを検出するための特徴量を抽出し、前記特徴量を用いて、前記コンテンツの区切りを判定し、前記判定に基づき区切られる所定の区切りから次の区切りまでの区間に対して、その区間の属性を判定し、同一の属性に判定された区間の連続的な再生を制御するステップを含む処理をコンピュータに実行させ、前記区切りの判定は、第１の区間と、その第１の区間に含まれる第２の区間をそれぞれ判定し、前記再生は、前記第１の区間を連続的に再生する第１のモードと、前記第２の区間を連続的に再生する第２のモードを有し、外部からの指示があったときに、前記第１のモードと前記第２のモードを切り換える。
【００１３】
本発明の一側面の記録媒体は、コンテンツの区切りを検出するための特徴量を抽出し、前記特徴量を用いて、前記コンテンツの区切りを判定し、前記判定に基づき区切られる所定の区切りから次の区切りまでの区間に対して、その区間の属性を判定し、同一の属性に判定された区間の連続的な再生を制御するステップを含む処理をコンピュータに実行させ、前記区切りの判定は、第１の区間と、その第１の区間に含まれる第２の区間をそれぞれ判定し、前記再生は、前記第１の区間を連続的に再生する第１のモードと、前記第２の区間を連続的に再生する第２のモードを有し、外部からの指示があったときに、前記第１のモードと前記第２のモードを切り換えるプログラムを記録している。
【００１４】
本発明の一側面においては、コンテンツから所定の区間が抽出され、さらにその区間の所定の区間が抽出される。抽出された区間は、連続再生され、その再生のモードは切り換えられる。
【発明の効果】
【００１５】
本発明の一側面によれば、記憶されている情報を、その一区間を確認しながら検索することができる。
【発明を実施するための最良の形態】
【００１６】
以下に、本発明の実施の形態について図面を参照して説明する。
【００１７】
図１は、本発明を適用した記録再生装置の一実施の形態の構成を示す図である。図１に示した記録再生装置は、例えば、テレビジョン放送の番組を録画する記録再生装置に適用することができる。よって、以下の説明においては、テレビジョン放送の番組をコンテンツの１例として挙げ、説明を続けるが、本発明が適用されるコンテンツは、テレビジョン放送の番組に限定されるのではない。
【００１８】
図１に示した記録再生装置１１は、放送受信部２１、蓄積部２２、特徴量抽出部２３、特徴量蓄積部２４、区間判定部２５、区間属性判定部２６、再生区間群生成部２７、区間群再生部２８、およびユーザ操作受信部２９を含む構成とされている。
【００１９】
放送受信部２１は、図示していない放送局からの信号を受信するアンテナやケーブルが接続されている。放送受信部２１は、アンテナやケーブルを介して取得されるテレビジョン放送の番組を選択するチューナなどを含む構成とされている。
【００２０】
放送受信部２１により受信され、処理された番組は、蓄積部２２に蓄積される。放送受信部２１により受信され、処理された番組は、特徴量抽出部２３にも供給される。特徴量抽出部２３は、供給された番組の画像や音声を解析し、エッジや音量などの特徴量を抽出する。
【００２１】
特徴量蓄積部２４は、特徴量抽出部２３により抽出された特徴量を、解析基の番組と関連付けて蓄積する。区間判定部２５は、特徴量蓄積部２４に蓄積されている特徴量を用いて、例えば、シーンの変わり目、コマーシャル（ＣＭ）の開始や終了といった所定の区切りを判定する。区間属性判定部２６は、区間判定部２５による判定結果に基づき、所定の区間の属性を判定する。属性とは、音楽の区間、会話の区間、盛り上がっている区間、笑いがある区間などである。
【００２２】
再生区間群生成部２７は、蓄積部２２に蓄積されている複数の番組から、同一の属性を有する区間を選択する。このことにより、複数の区間が選択された場合、それらの複数の区間を区間群と称する。同一の属性を有する区間が選択されるのは、後述する処理において、ユーザが同一の属性を有する区間の連続再生を指示したとき、例えば、曲区間という属性が付けられた区間を連続再生できるようにするためである。再生区間群生成部２７は、その再生時に参照される、曲区間リスト５１やサビ区間リスト５２を作成する。区間群再生部２８は、再生区間群生成部２７により選択された区間群を再生する。区間群再生部２８により再生された番組は、表示部１２に供給される。
【００２３】
表示部１２は、記録再生装置１１と別体とされていても良いし、一体型に構成されていても良い。例えば、表示部１２は、テレビジョン受像機とし、記録再生装置は、そのテレビジョン受像機に接続されるハードディスクレコーダとすることができる。ユーザ操作受付部２９は、例えば、リモートコントローラからの指示や、本体に設けられているボタンが操作されたときの指示などを受信し、処理する。
【００２４】
このような構成による記録再生装置１１において行われる処理について説明を加える。まず、記録再生装置１１は、記録されている複数の番組から、所定の区間（第１の区間と適宜記述する）を抽出し、その第１の区間を連続的に再生する処理を行う。また、記録再生装置１１は、第１の区間のさらに所定の区間（第２の区間と適宜記述する）を抽出し、その第２の区間を連続的に再生する処理を行う。さらに、記録再生装置１１は、第１の区間を連続して再生するモードと、第２の区間を連続して再生するモードを切り替える処理を行う。
【００２５】
以下の説明においては、番組は音楽関連の番組であり、第１の区間が、音楽関連の番組内で、曲が流れている区間（例えば、歌手が歌っているシーンなど）であり、第２の区間が、曲が流れている区間のうちの、その曲のサビの区間である場合を例に挙げて説明する。なお“サビ”とは、曲の中で1番盛り上がる区間を表す。
【００２６】
図２を参照し、１つの番組に注目したとき、その番組内容の構成について説明する。また、図２を参照し、第１の区間について説明する。
【００２７】
１つの番組は、図２に示すように、複数の区間に区切ることができる。図２に示した例では、区間Ａ乃至Ｅの５つの区間に区切られている例である。音楽関連の番組である場合、例えば、司会者と歌手が会話した後、その歌手が歌う（曲が流れる）というパターンが多い。よって、音楽関連の番組の場合、会話の区間と曲の区間に分けることができる。
【００２８】
図２に示した例では、例えば、区間Ａは会話の区間、区間Ｂは曲の区間、区間Ｃは会話の区間、区間Ｄは曲の区間、区間ｅは会話の区間といったような番組構成となっており、そのように区切ることができる。
【００２９】
また、区間Ａは番組の本編であり、区間Ｂは、ＣＭ（コマーシャル）といったような区切りもできる。また音楽関連の番組ではなく、例えば、スポーツ中継の番組である場合、盛り上がっている区間と盛り上がっていない区間に区切るといったことも考えられる。
【００３０】
このように、１つの番組は、複数の区間に区切ることができる。第１の区間は、このように区切られた区間のうち、所定のシーン、この場合、曲のシーンである。上記した例に従えば、第１の区間は、区間Ｂと区間Ｄになる。このように、第１の区間は、１つの番組の所定のシーンであり、そのシーンは、複数ある場合がある。
【００３１】
図３を参照し、さらに第１の区間について説明を加える。図３に示した例は、蓄積部２２記憶されている複数の番組のうち、音楽関連の番組が３番組あり、それらの番組Ａ乃至Ｃが、それぞれ、会話区間と曲区間に区切られている例（そのような処理が終了された後の例）である。
【００３２】
番組Ａは、会話Ａの後に曲Ａが放送され、曲Ａの後に会話Ｂが放送され、会話Ｂの後に曲Ｂが放送され、曲Ｂの後に会話Ｃが放送されるという音楽関連の番組である。同じように、番組Ｂは、会話Ｄの後に曲Ｃが放送され、曲Ｃの後に会話Ｅが放送され、会話Ｅの後に曲Ｄが放送され、曲Ｄの後に会話Ｆが放送され、会話Ｆの後に曲Ｅが放送されるという音楽関連の番組である。同じように、番組Ｃは、会話Ｇの後に曲Ｆが放送され、曲Ｆの後に曲Ｇが放送され、曲Ｇの後に曲Ｈが放送され、曲Ｈの後に会話Ｈが放送されるという音楽関連の番組である。
【００３３】
このような番組Ａ乃至番組Ｃが蓄積部２２に記憶されている場合、ユーザの指示に基づき、番組内の曲だけを連続再生するモード（以下、曲モードと記述する）が選択され、曲モードでの番組の再生が指示された場合、各番組から曲区間だけが抽出され、連続的に再生される。
【００３４】
すなわち、図３に示したような場合、図４に示すように曲が連続的に再生される。図４を参照するに、番組Ａの曲Ａが再生され、その曲Ａの再生が終了すると、番組Ａの曲Ｂが再生され、その曲Ｂの再生が終了すると、番組Ｂの曲Ｃが再生され、その曲Ｃの再生が終了すると、番組Ｂの曲Ｄが再生され、その曲Ｄの再生が終了すると、番組Ｂの曲Ｅが再生され、その曲Ｅの再生が終了すると、番組Ｃの曲Ｆが再生され、その曲Ｆの再生が終了すると、番組Ｃの曲Ｇが再生され、その曲Ｇの再生が終了すると、番組Ｃの曲Ｈが再生される。
【００３５】
このような再生が行われると、ユーザには、図５に示したような流れで、曲が提供されることになる。図５を参照するに、曲Ａ、曲Ｂ、曲Ｃ、曲Ｄ、曲Ｅ、曲Ｆ、曲Ｇ、および曲Ｈの順で、連続的に再生され、ユーザに提供される。よってこの場合、複数の番組に含まれていた曲であるが、あたかも１番組のように、かつ、曲の区間だけが、ユーザに提供されることになる。音楽関連の番組で、最も内容的に意味のある区間、換言すれば、ユーザが視聴したい区間は、音楽すなわち曲が流れている区間であると考えられる。
【００３６】
よって、この場合、ユーザは、３つの音楽関連の番組のうち、最も視聴したい区間のみを、連続的に視聴できることになる。このような場合、ユーザは、完全でなくても、３つの番組を視聴したことになる。このような視聴が可能となることで、例えば、蓄積部２２に沢山の番組が蓄積され、ユーザが視聴したい番組を検索しづらい状況であっても、ユーザが所望するジャンル（この場合、音楽というジャンル）に一致する番組から、その番組の中で最もユーザが視聴したいであろう区間のみを、ユーザに提供することができるため、効率的な視聴をできるようになる。
【００３７】
上述した説明においては、例えば、図４を再度参照するに、曲Ａの次に曲Ｂが再生されるといったように、１つの番組内では、放送される順で再生されるとして説明した。また、番組Ａの曲Ｂが再生された後、番組Ｂの曲Ｃが再生されるといったように、複数の番組があった場合、１つの番組に含まれる全ての曲の再生が終了されると、次の番組に含まれる曲の再生が開始されるとして説明した。このように、再生される曲の順序に所定のルールがあり、そのルールに基づいて再生されるようにしても良いが、例えば、曲Ａの後には曲Ｈといったように、再生される曲の中からランダムに再生が行われるルールであっても良い。
【００３８】
次に、第２の区間につい説明を加える。第２の区間は、この場合、曲のサビの部分である。１曲の中には、サビと称される曲の中で1番盛り上がる区間が含まれる。図６を参照するに、曲Ａの中には、サビＡ―１とサビＡ−２がある。サビＡ―１の前、サビＡ−１とサビＡ−２の間、およびサビＡ−２の後には、それぞれサビ以外の区間が存在する。曲により、サビが入る位置（曲の開始時点からの経過時間）、サビの長さ、サビの回数などは異なるが、必ず、サビと称される区間が曲には含まれる。
【００３９】
第２の区間は、このようなサビの区間である。記録再生装置１１は、サビの区間を連続的に再生するモード（以下、サビモードと称する）を有する。記録再生装置１１は、ユーザにより、サビモードが選択された場合、各番組内の曲から、さらにサビの区間だけを抽出し、連続的に再生される。図６を参照して説明したように、１曲に含まれるサビは、１つの場合もあるが、複数の場合もある。１曲に複数のサビが含まれる場合、サビモードでは、１つのサビが再生されるとして、以下の説明を続ける。すなわち、サビモードのときには、１曲から１つのサビの区間が抽出され、複数の曲のサビが、連続的に再生されるとして以下の説明を続ける。
【００４０】
なお、このように１曲から１つのサビの区間を抽出して連続再生するのは、通常、同一の曲に含まれるサビの区間は、曲調などが同一であることが多く、仮に、１曲に複数のサビが含まれ、その複数のサビを連続再生しても、同じ曲調のサビが繰り返されるだけになり、冗長的になるため、そのようなことを防ぐためである。
【００４１】
サビモードのときの再生について、図７を参照して説明を加える。図７に示した例では、曲Ａ乃至曲Ｄの４曲のサビを再生する場合を示している。図７を参照するに、曲ＡのサビＡ−１が再生され、そのサビＡ−１の再生が終了すると、曲ＡのサビＢ−１が再生され、そのサビＢ−１の再生が終了すると、曲ＣのサビＣ−１が再生され、そのサビＣ−１の再生が終了すると、曲ＤのサビＤ−１が再生される。
【００４２】
このような再生が行われると、ユーザには、図８に示したような流れで、サビが提供されることになる。図８を参照するに、サビＡ−１、サビＢ−１、サビＣ−１、およびサビＤ−１の順で、連続的に再生され、ユーザに提供される。よってこの場合、複数の曲に含まれていたサビであるが、そのサビの部分だけが、ユーザに提供されることになる。曲の中で、最も内容的に意味のある区間、換言すれば、ユーザが印象に残る区間は、サビの区間であると考えられる。
【００４３】
一般的に、印象に残る区間、この場合、サビの区間が気に入れば、その曲を気に入る可能性が高いため、例えば、聞いたことがない曲から、好きな曲を検索するときなど、サビの区間だけを連続的に聞くということは有効な手段である。
【００４４】
この場合、ユーザは、４曲のうち、最も印象に残る区間のみを、連続的に視聴できることになる。このような場合、ユーザは、完全でなくても、４曲を視聴したことになる。このような視聴が可能となることで、例えば、蓄積部２２に沢山の番組が蓄積され、それらの番組の中に、所望の曲が含まれている可能性があり、その所望の曲を検索したいときに、それらの曲のなかで最もユーザが視聴したいであろう区間のみを、ユーザに提供することができるため、効率的な視聴、検索をできるようになる。
【００４５】
上述した説明においては、例えば、図７を再度参照するに、曲ＡにサビＡ−１とサビＡ−２があるときに、先に再生されるサビＡ−１が再生されるとして説明したが、後に再生されるサビＡ−２が再生されるようにしても良い。
【００４６】
このように、記録再生装置１１は、曲を連続的に再生する曲モードと曲のサビを連続的に再生するサビモードがある。これらのモードは、相互に切り換え可能に構成されている。すなわち、曲モードからサビモードに切り換えたり、サビモードから曲モードに切り換えたりすることが可能に構成されている。次に、モードの切り換えについて、図９Ａ乃至図９Ｃを参照して説明を加える。
【００４７】
図９Ａ乃至図９Ｃでは、１つの番組または２つの番組に含まれる２曲が再生されるときを例に挙げて説明する。図９Ａ乃至図９Ｃに示したように、曲Ａには、サビＡ―１とサビＡ−２が含まれ、曲Ｂには、サビＢ−１とサビＢ−２が含まれる。曲モードのときには、図９Ａ中に実線の矢印で示したように、曲Ａが再生された後、曲Ｂが再生される。サビモードのときには、図９Ａ中に点線の矢印で示したように、曲ＡのサビＡ−１が再生された後、曲ＢのサビＢ−１が再生される。
【００４８】
図９Ｂを参照するに、曲モードのときであり、曲Ａが再生されているときに、サビモードへの切り換えが指示された場合、曲ＡのサビＡ−１の再生に移行される。すなわち、曲モードのときに再生されていた曲のサビの区間へと、再生区間が変更される。そのまま、指示がなければ、サビモードが継続され、サビＡ−１が再生された後、サビＢ−１の再生が開始される。
【００４９】
このように、曲モードからサビモードに切り換えられたときに、曲モードのときに再生されていた曲のサビの区間に再生区間が変更されることにより、例えば、ユーザの好みでない曲が再生されているときなどに、サビモードに切り換えることで、好みの曲の再生まで、短時間でたどり着くことが可能となる。
【００５０】
また、曲モードのときに再生されていた曲のサビの区間に再生区間が変更されることにより、例えば、ユーザが、曲の冒頭が気に入らなかったために、サビモードに切り換えたが、その曲のサビは気に入り、その結果として、曲全体を気に入るということもあり、そのような機会を奪うことなくモードの切り換えを行うことが可能となる。
【００５１】
なおここでは、曲モードからサビモードに切り換えられたときに、曲モードのときに再生されていた曲のサビの区間に再生区間が変更されるとしたが、変更先の再生区間は、曲モードのときに再生されていた曲の次に再生される予定の曲のサビの区間になるようにすることも可能である。この場合、好みの曲の再生まで、短時間でたどり着くことが可能となるといった利点がある。
【００５２】
図９Ｃを参照するに、サビモードのときであり、サビＡ―１が再生されているときに、曲モードへの切り換えが指示された場合、曲Ａの先頭からの再生に移行される。すなわち、サビモードのときに再生されていたサビを含む曲へと、再生区間が変更される。そのまま、指示がなければ、曲モードが継続され、曲Ａが再生された後、曲Ｂの再生が開始される。
【００５３】
このように、サビモードから曲モードに切り換えられたときに、サビモードのときに再生されていたサビを含む曲へと、再生区間が変更されることにより、例えば、ユーザの好みの曲のサビが再生されているときに、ユーザが曲モードに切り換えることで、その好みの曲を最初から聞き直すといったことが可能となる。
【００５４】
また、番組がテレビジョン放送の番組である場合、曲の冒頭には、その曲の情報が表示されることが多い。例えば、曲のタイトル、歌手名、作曲者、作詞者などの情報が、テロップとして表示されることが多い。このようなことを考慮すると、サビモードのときに、気に入ったサビがあり、曲モードに切り換えたとき、その曲の冒頭から再生されることで、気に入った曲の情報を取得できるようになり、ユーザにとって好ましい形態を提供できるようになる。
【００５５】
このような曲モードからサビモードへの切り換え、または、サビモードから曲モード変切り換えを実現するために、記録再生装置１１は、図１０に示すような２つのリストを作成し、保持する。
【００５６】
図１０を参照するに、記録再生装置１１が保持する２つのリストのうち、１つは、曲区間リストであり、もう１つは、サビ区間リストである。
【００５７】
曲区間リスト５１には、区間識別子、曲区間開始位置、曲区間終了位置という項目が設けられている。区間識別子は、番組内の曲区間に割り当てられ、所定の曲区間を一意に識別できる識別子である。
【００５８】
曲区間開始位置は、番組の開始時刻からの曲区間が始まるまでの時間である。ここでは、曲区間開始位置は、番組の開始時刻からの時間が記載されるとして説明を続けるが、例えば、蓄積部２２の曲区間の開始アドレスなど、他の情報が記載されるようにしても良い。
【００５９】
曲区間終了位置は、番組の開始時刻からの曲区間が終了するまでの時間である。曲区間開始位置と同様に、曲区間終了位置に記載される情報は、アドレスなどの時間以外の情報でも良い。
【００６０】
例えば、区間識別子が“１”の曲区間は、所定の番組の冒頭から“３２分３０秒”だけ経過した時点から、“３５分２０秒”まで経過した時点までであることが、曲区間リスト５１を参照することでわかる。
【００６１】
サビ区間リスト５２には、曲区間リンク先、サビ区間開始位置、サビ区間終了位置という項目が設けられている。曲区間リンク先は、サビの区間を含む曲の区間識別子である。
【００６２】
サビ区間開始位置は、番組の開始時刻からのサビ区間が始まるまでの時間である。ここでは、サビ区間開始位置は、番組の開始時刻からの時間が記載されるとして説明を続けるが、例えば、蓄積部２２のサビ区間の開始アドレスや、曲の開始時刻からの経過時間など、他の情報が記載されるようにしても良い。
【００６３】
サビ区間終了位置は、番組の開始時刻からのサビ区間が終了するまでの時間である。サビ区間開始位置と同様に、サビ区間終了位置に記載される情報は、アドレスなどの時間以外の情報でも良い。
【００６４】
例えば、曲区間リンク先が“１”のサビ区間は、区間識別子“１”の曲区間内に含まれるサビであり、所定の番組の冒頭から“３３分３０秒”だけ経過した時点から、“３４分０２秒”まで経過した時点までであることが、サビ区間リスト５２を参照することでわかる。
【００６５】
このような曲区間リスト５１とサビ区間リスト５２の作成について、図１１のフローチャートを参照して説明する。このフローチャートの処理は、放送受信部２１によりテレビジョン放送の番組が受信され、蓄積部２２にその番組の蓄積が開始されると、開始される。
【００６６】
ステップＳ１１において、特徴量抽出部２３は、放送受信部２１により受信された番組を取得し、その番組から特徴量を抽出する。取得される番組は、映像と音声から構成されている。特徴量抽出部２３は、映像から特徴量を抽出する場合、例えば、エッジの検出や動きベクトルの検出による特徴量を抽出したりし、音声から特徴量を抽出する場合、例えば、音量やメロディの解析などによる特徴量を抽出したりする。
【００６７】
ステップＳ２２において、抽出された特徴量は、特徴量蓄積部２４に一旦蓄積される。ステップＳ２３において、区間判定部２５は、特徴量蓄積部２４に蓄積されている特徴量を参照し、シーンの変わり目、コマーシャル（ＣＭ）の開始や終了といった所定のシーンの切れ目を判定する。ステップＳ２４において、区間属性判定部２６は、区間判定部２５により判定された区間（切れ目から次の切れ目までの区間）が、どの様な属性に属する区間であるかを判定する。
【００６８】
区間判定部２５により、どのような区間を判定するかにより、または、区間属性判定部２６により判定された区間に、どのような属性を付けるかにより、特徴量抽出部２３により抽出される特徴量が決定されるようにしても良い。
【００６９】
例えば、この場合、曲区間やサビ区間を抽出したいので、音声を解析することにより特徴量を抽出し、その特徴量から、会話区間から曲区間への切り替わりまたは曲区間から会話区間への切り替わりを判定し、その切り替わり点から、次の切り替わり点までを、会話区間または曲区間という属性であるといった処理が行われる。
【００７０】
ここまでの処理で、曲区間が抽出される。また、曲区間の抽出が行われるとともに、サビ区間の抽出も行われる。サビ区間は、抽出された曲区間における曲を解析することで抽出することが可能である。曲区間は、区間属性判定部２６により、曲区間との属性が付けられ、サビ区間は、区間属性判定部２６により、サビ区間との属性が付けられる。
【００７１】
このようにして曲区間とサビ区間が抽出されると、ステップＳ２５において、曲区間リストが作成される。再生区間群生成部２７は、曲区間という属性が付けられた区間を対象とし、図１０に示した曲区間リスト５１を生成する。また、再生区間群生成部２７は、サビ区間という属性が付けられた区間を対象とし、図１０に示したサビ区間リスト５２を生成する。
【００７２】
このようにして生成された曲区間リスト５１とサビ区間リスト５２は、ステップＳ２７において、蓄積部２２に蓄積（保持）される。
【００７３】
次に、このような曲区間リスト５１とサビ区間リスト５２が蓄積部２２に蓄積されている状態のときに、曲モードまたはサビモードでの再生時における処理について、図１２のフローチャートを参照して説明する。
【００７４】
ステップＳ５１において、モードの切り換えが指示されたか否かが判断される。この判断は、ユーザ操作受付部２９により、例えば、モードの切り換えのときに操作されるボタンが操作されたか否かが判断されることにより行われる。ステップＳ５１において、モードの切り換えが指示されたと判断された場合、ステップＳ５２に処理が進められ、モードの切り換えは指示されていないと判断された場合、待機状態が維持される。
【００７５】
ステップＳ５２において、その時点での再生位置が取得される。ステップＳ５３において、現状のモードは、曲モードであるか否かが判断される。区間群再生部２８は、モードの切り換えが指示されたとき、その時点で、再生している区間が、曲区間であるか否かを判断することで、曲モードであるか否かを判断する。
【００７６】
ステップＳ５３において、曲モードであると判断された場合、ステップＳ５４に処理が進められる。ステップＳ５４において、曲区間リストに再生位置が含まれているか否かが判断される。ステップＳ５４において、曲区間リストに再生位置が含まれていないと判断された場合、ステップＳ５１に処理が戻され、それ以降の処理が繰り返される。一方、ステップＳ５４において、曲区間リストに再生位置が含まれていると判断された場合、ステップＳ５５に処理が進められる。
【００７７】
ステップＳ５５において、区間識別子が取得される。区間群再生部２８は、その時点で参照している曲区間リスト５１から、再生位置を含む区間を検索し、その再生位置を含む区間の区間識別子を読み出す。例えば、再生位置が“３３分３３秒”であったような場合、曲区間リスト５１（図１０）を参照するに、“３３分３３秒”は、曲区間開始位置が“３２分３０秒”から曲区間終了位置が“３５分２０秒”の間にあるので、区間識別子は、“１”と読み出される。
【００７８】
ステップＳ５６において、サビ区間リスト５２が検索され、サビ区間開始位置が取得される。区間群再生部２８は、取得された区間識別子を基に、サビ区間リスト５２を検索し、サビ区間開始位置を取得する。例えば、取得された区間識別子が“１”の場合、この区間識別子と同じ値の曲区間リンク先、すなわちこの場合、曲区間リンク先が“１”であるサビ区間が、再生すべきサビ区間として設定され、サビ区間リスト５２の曲区間リンク先が“１”のサビ区間開始位置“３３分３０秒”が、サビ区間の再生開始位置として読み出される。
【００７９】
ステップＳ５７において、サビモードに移行され、読み出されたサビ区間の再生開始位置から、サビ区間の再生が開始される。ステップＳ５７の処理が終了されると、ステップＳ５１に処理が戻され、それ以降の処理が繰り返される。
【００８０】
このような曲モードからサビモードに移行する処理は、図９Ｂを参照して説明したように行われるため、上記したように、曲区間リスト５１とサビ区間リスト５２が参照されることにより行われる。またサビモードにおける処理は、図７を参照して説明したように行われ、その処理は、サビ区間リスト５２が参照されることにより行われる。
【００８１】
一方、ステップＳ５３において、現在のモードは、曲モードではないと判断された場合、換言すれば、サビモードであると判断された場合、ステップＳ５８に処理が進められる。
【００８２】
ステップＳ５８において、サビ区間リスト５２に再生位置が含まれているか否かが判断される。ステップＳ５８において、サビ区間リスト５２に再生位置が含まれていないと判断された場合、ステップＳ５１に処理が戻され、それ以降の処理が繰り返される。一方、ステップＳ５８において、サビ区間リストに再生位置が含まれていると判断された場合、ステップＳ５９に処理が進められる。
【００８３】
ステップＳ５９において、曲区間リンク先が取得される。区間群再生部２８は、その時点で参照しているサビ区間リスト５２から、再生位置を含む区間を検索し、その再生位置を含む区間の曲区間リンク先を読み出す。例えば、再生位置が“３３分５０秒”であったような場合、サビ区間リスト５２（図１０）を参照するに、“３３分５０秒”は、サビ区間開始位置が“３３分３０秒”からサビ区間終了位置が“３４分０２秒”の間にあるので、曲区間リンク先は、“１”と読み出される。
【００８４】
ステップＳ６０において、曲区間リスト５１が検索され、曲区間開始位置が取得される。区間群再生部２８は、取得された曲区間リンク先を基に、曲区間リスト５１を検索し、曲区間開始位置を取得する。例えば、取得された曲区間リンク先が“１”の場合、この曲区間リンク先と同じ値の区間識別子、すなわちこの場合、区間識別子が“１”の曲区間が、再生すべき曲区間として設定され、曲区間リスト５１の区間識別子が“１”の曲区間開始位置“３２分３０秒”が、曲区間の再生開始位置として読み出される。
【００８５】
ステップＳ６１において、曲モードに移行され、読み出された曲区間の再生開始位置から、曲区間の再生が開始される。ステップＳ６１の処理が終了されると、ステップＳ５１に処理が戻され、それ以降の処理が繰り返される。
【００８６】
このようなサビモードから曲モードに移行する処理は、図９Ｃを参照して説明したように行われるため、上記したように、曲区間リスト５１とサビ区間リスト５２が参照されることにより行われる。また曲モードにおける処理は、図４を参照して説明したように行われ、その処理は、曲区間リスト５１が参照されることにより行われる。
【００８７】
このようにして、曲モードとサビモードが切り替えられることにより、例えば、ユーザが、曲モードのときに、再生されている曲が気に入らないような場合に、サビ区間を視聴して、所望の曲を検索するといったことが可能となる仕組みを提供することが可能となる。また、曲モードとサビモードが切り替えられることにより、例えば、ユーザがサビモードのときに、再生されているサビが気にいったような場合、曲区間を視聴することができるため、好きな曲を素早く検索し、その曲の情報を取得することができる仕組みを提供することが可能となる。
【００８８】
また、曲モードやサビモードといった、主要な部分のみの連続再生を可能とすることで、例えば、ハードディスクレコーダなどに蓄積されている番組を、効率良く視聴させることができるようになる。
【００８９】
上述した一連の処理は、ハードウェアにより実行させることもできるし、ソフトウエアにより実行させることもできる。一連の処理をソフトウエアにより実行させる場合には、そのソフトウエアを構成するプログラムが、専用のハードウェアに組み込まれているコンピュータ、または、各種のプログラムをインストールすることで、各種の機能を実行することが可能な、例えば汎用のパーソナルコンピュータなどに、プログラム記録媒体からインストールされる。
【００９０】
図１３は、上述した一連の処理をプログラムにより実行するパーソナルコンピュータのハードウェアの構成の例を示すブロック図である。
【００９１】
コンピュータにおいて、ＣＰＵ（Central Processing Unit）１０１、ＲＯＭ（Read Only Memory）１０２、ＲＡＭ（Random Access Memory）１０３は、バス１０４により相互に接続されている。
【００９２】
バス１０４には、さらに、入出力インターフェース１０５が接続されている。入出力インターフェース１０５には、キーボード、マウス、マイクロホンなどよりなる入力部１０６、ディスプレイ、スピーカなどよりなる出力部１０７、ハードディスクや不揮発性のメモリなどよりなる記憶部１０８、ネットワークインタフェースなどよりなる通信部１０９、磁気ディスク、光ディスク、光磁気ディスク、あるいは半導体メモリなどのリムーバブルメディア１１１を駆動するドライブ１１０が接続されている。
【００９３】
以上のように構成されるコンピュータでは、ＣＰＵ１０１が、例えば、記憶部１０８に記憶されているプログラムを、入出力インターフェース１０５及びバス１０４を介して、ＲＡＭ１０３にロードして実行することにより、上述した一連の処理が行われる。
【００９４】
コンピュータ（ＣＰＵ１０１）が実行するプログラムは、例えば、磁気ディスク（フレキシブルディスクを含む）、光ディスク（CD-ROM(Compact Disc-Read Only Memory),DVD(Digital Versatile Disc)等）、光磁気ディスク、もしくは半導体メモリなどよりなるパッケージメディアであるリムーバブルメディア１１１に記録して、あるいは、ローカルエリアネットワーク、インターネット、デジタル衛星放送といった、有線または無線の伝送媒体を介して提供される。
【００９５】
そして、プログラムは、リムーバブルメディア１１１をドライブ１１０に装着することにより、入出力インターフェース１０５を介して、記憶部１０８にインストールすることができる。また、プログラムは、有線または無線の伝送媒体を介して、通信部１０９で受信し、記憶部１０８にインストールすることができる。その他、プログラムは、ＲＯＭ１０２や記憶部１０８に、あらかじめインストールしておくことができる。
【００９６】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【００９７】
また、本明細書において、システムとは、複数の装置により構成される装置全体を表すものである。
【００９８】
なお、本発明の実施の形態は、上述した実施の形態に限定されるものではなく、本発明の要旨を逸脱しない範囲において種々の変更が可能である。
【図面の簡単な説明】
【００９９】
【図１】本発明を適用した記録再生装置の一実施の形態の構成を示す図である。
【図２】番組の構成について説明する図である。
【図３】音楽関係の番組の構成について説明する図である。
【図４】曲モードのときの再生について説明する図である。
【図５】曲モードのときの再生について説明する図である。
【図６】サビについて説明する図である。
【図７】サビモードのときの再生について説明する図である。
【図８】サビモードのときの再生について説明する図である。
【図９】モードの切り換えときの再生について説明する図である。
【図１０】リストについて説明する図である。
【図１１】リスト作成に係わる処理について説明するフローチャートである。
【図１２】再生処理について説明するフローチャートである。
【図１３】記録媒体について説明する図である。
【符号の説明】
【０１００】
１１  記録再生装置，  １２  表示部，  ２１  放送受信部，  ２２  蓄積部，  ２３  特徴量抽出部，  ２４  特徴量蓄積部，  ２５  区間判定部，  ２６  区間属性判定部，  ２７  再生区間群生成部，  ２８  区間群再生部
【図１】
2009130559.tif 000003
【図２】
2009130559.tif 000004
【図３】
2009130559.tif 000005
【図４】
2009130559.tif 000006
【図５】
2009130559.tif 000007
【図６】
2009130559.tif 000008
【図７】
2009130559.tif 000009
【図８】
2009130559.tif 000010
【図９】
2009130559.tif 000011
【図１０】
2009130559.tif 000012
【図１１】
2009130559.tif 000013
【図１２】
2009130559.tif 000014
【図１３】
2009130559.tif 000015